(57)【要約】【課題】  発射レール上に置かれた遊技球を正確に打撃することで発射動作を安定させる。【解決手段】  パチンコ機１の前面枠４には、発射レール１８上に置かれた遊技球を発射するための球発射装置１６が取り付けられている。この球発射装置１６は、打球槌１６ｃをコイルばね１６ｄによって発射方向に付勢する一方、発射モータ１６ｅの動力で打球槌１６ｃを付勢力に抗して引っ張り、これを解放して遊技球を強く打撃する。このとき、打球位置に対して打球槌１６ｃの先端の位置を正確に合わせておく必要があるため、当てゴム２０，２２の位置を変化させることで位置調整を行うことができるものとなっている。【選択図】    図２
2005034476.tif 000002
【特許請求の範囲】
【請求項１】
発射レール上の打球位置に置かれた遊技球を打球槌で打撃し、所定の遊技領域に向けて発射させる球発射装置を備えた遊技機において、
前記球発射装置に設けられ、遊技球の発射方向に付勢力を与えて前記打球槌を揺動させる揺動機構と、
前記打球槌の揺動ストロークの終端位置を調整可能とする調整手段と
を具備したことを特徴とする遊技機。
【発明の詳細な説明】
【技術分野】
【０００１】
本発明は例えば、遊技球を用いてパチンコ遊技やアレンジボール遊技、雀球遊技等を実行することができる弾球タイプの遊技機に関する。
【背景技術】
【０００２】
この種の遊技機では、発射レール上の所定位置に遊技球をセットし、これを打球槌（打球杆）により打撃することで発射する球発射装置が従来から採用されている。例えば、打球槌はスプリング等によって発射方向に付勢されており、この付勢力に抗して打球槌を引っ張った後にこれを解放すると、打球槌は付勢力によって強く揺動して遊技球を打撃することができる（例えば、特許文献１参照。）。その他にも、永久磁石の反発力を用いて打球槌を揺動させるタイプの球発射装置（例えば、特許文献２参照。）や、ロータリソレノイドの駆動力によって打球槌を揺動させるもの等がある。いずれにしても、遊技球を打撃した際に打球槌の揺動はストッパにより制止され、これにより打球槌は次の発射動作に備えることができる。
【０００３】
上述した球発射装置を遊技機に用いる場合、その組み立て時に打球槌の先端（槌先、杆先等）を打球位置（遊技球がセットされる位置）に対して正確に合わせておく必要がある。すなわち、打球槌が遊技球を打撃する際にその先端が打球位置からずれていると、打撃力に何らかの過不足が生じて良好な発射動作ができなくなる。このときの先端位置は打球槌がストッパに当接する位置によって決定されるため、上述の背景技術においてもストッパの位置調整が可能となっている。
【０００４】
具体的には、ストッパである弾性部材を押圧片により押圧して弾性変形させ、これにより打球槌との当接位置を調整可能とする技術や（特許文献１）、予め取付位置を調整可能である止着板を介してストッパを固定する技術等がある（特許文献２）。
【０００５】
【特許文献１】特開平７−２４６２８９号公報（第１−３頁、図１、図２、図５、図６）
【特許文献２】特許第２８７９４６１号公報（第２−３頁、図３、図５）
【発明の開示】
【発明が解決しようとする課題】
【０００６】
上述した打球槌の位置調整技術に関し、前者は弾性部材の変形を利用しているため細かな位置調整に適しており、一方、後者は大幅な位置調整に適している。しかしながら個々の技術において、より高度かつ厳密な打球槌の位置調整を試みようとすると、前者では大幅な位置調整には全く不向きであるし、後者では微調整が難しい。このためいずれの技術も調整幅に融通性がなく、満足いくレベルの位置調整を果たすことができないという問題がある。
【０００７】
そこで本発明は、発射レール上の遊技球に合わせて打球槌の位置をより高精度に調整することを課題としたものである。
【課題を解決するための手段】
【０００８】
（解決手段１）
本発明の遊技機は、調整手段により打球槌の揺動ストロークの終端位置を調整可能とすることで上記の課題を解決している。球発射装置には、遊技球の発射方向に付勢力を与えて打球槌を揺動させる揺動機構が設けられており、この揺動機構による打球槌の揺動ストロークの終端位置によって打球槌の先端位置が決定される。このため、調整手段により揺動ストロークの終端位置を調整可能であれば、遊技球に対して打球槌の先端位置を正確に合わせることができ、また、その際に先端位置を適切に調整することができる。
【０００９】
（解決手段２）
より具体的な遊技機の構成は、球発射装置に設けられ、遊技球の発射方向に付勢力を与えて打球槌を揺動させる揺動機構と、打球槌に当接してその揺動を制止することにより、打球槌が揺動するストロークの終端位置を規定する制止部材と、この制止部材を回転可能に支持し、かつ、制止部材を回転方向に変位させることで制止部材により規定される打球槌の揺動ストロークの終端位置を調整可能とする調整手段とを備えたものとなっている。
【００１０】
遊技球に対する打球槌の先端位置は、打球槌の揺動が制止される位置、つまり揺動ストロークの終端位置で決まる。このため制止部材を変位させて揺動ストロークの終端位置を調整すれば、それに連動して打球槌の先端位置が調整される。なお、制止部材を回転方向に変位させて位置調整を行うためには、例えば制止部材の回転中心を外形中心に対して偏心させたり、制止部材の外形をカム形状としたりすることができる。これらの場合、制止部材の回転変位量（角度）に応じてきめ細かな位置調整が可能となるので、単なる直線方向へのスライド変位量に応じて位置調整を行うものに比較すると位置調整の精度が高く、また小刻みに回転変位量（角度）を変化させることで先端位置の細かな調整にも対応できるという利点がある。
【００１１】
（解決手段３）
本発明のより好ましい態様では、制止部材が弾性変形可能であり、調整手段は制止部材をその回転軸線の方向に圧縮し、この圧縮力に直交する方向に制止部材を弾性変形させることで揺動ストロークの終端位置をさらに微調整可能である。このような態様であれば、上述した制止部材の回転変位に加えて、さらに弾性変形による打球槌の先端位置を微調整することができるため、調整幅が広く、その融通性を大きく高めることができる。
【００１２】
（解決手段４）
本発明のより具体的な態様では、打球槌はその揺動中心を挟んで両方向に延びており、制止部材は、揺動中心の両側位置でそれぞれ打球槌に当接するべく一対をなして配置されている。上述のように、打球槌は充分な力で遊技球を打撃するために強く付勢されており、この打球槌が制止部材に当接すると相当な衝撃を伴うため、これを一対の制止部材で分担して受け止める態様がきわめて合理的である。この場合、単一の制止部材だけで打球槌を受け止める場合に比較して、個々の制止部材にかかる衝撃が緩和されるし、制止部材が摩耗する度合いも低く抑えられるため耐久性を高めることができる。
【００１３】
（解決手段５）
本発明のより実用的な態様では、制止部材が打球槌に外周面で当接する環状のゴム部材からなり、このゴム部材は偏心した状態で回転可能に支持されている。環状のゴム部材はその外周面を打球槌に当接させてその揺動を規制することができ、その際、ゴム弾性によって打球槌の衝撃を緩和する。さらに、ゴム部材の中心に対して回転中心が偏心しているため、その偏心量に応じた分の調整幅を確保することができる。
【００１４】
（解決手段６）
制止部材が環状のゴム部材からなる場合、調整手段はゴム部材の回転中心となる支持軸と、ゴム部材の内側に嵌め込まれる一方、支持軸の外側に嵌め合わされた状態で支持軸に対してゴム部材を偏心させるホルダ部材と、支持軸にねじ留めされ、そのねじ込みに伴いゴム部材を圧縮方向に締め付ける締付部材とを含む態様が好ましい。この場合、ホルダ部材の大きさや形状によってゴム部材の偏心量を所望に設定できるため、打球槌の位置調整幅の自由度を高めることができる。
【００１５】
また締付部材は、ねじの締め込みによってゴム部材の回転変位を固定することができるので、ゴム部材と打球槌との当接位置を大きく変化させたい場合は、最初にねじを緩めた状態でゴム部材を所定の範囲内で回転変位させた後、所望の位置でねじを締め付けるだけでよい。これにより、締付部材を介してゴム部材が固定されるので、打球槌の大幅な位置調整作業を簡単かつ迅速に行うことができる。
【００１６】
また、締付部材によるゴム部材の締め付け力に強弱を持たせることで、打球槌の位置調整のためにゴム部材を固定するだけでなく、さらにねじの締め込みによって打球槌の位置を微調整することができるので、位置調整作業を容易かつ利便に行うことかできる。例えば、最初に打球槌の位置を大まかに調整しながら比較的弱い締め付け力でゴム部材の回転方向への変位を固定しておき、この後、さらに締付部材による締め付け力を増すことでゴム部材を弾性変形させれば、最初の大まかな位置調整と、その後の微調整とをねじの締め込み作業だけで簡単かつ迅速に行うことができる。
【００１７】
（解決手段７）
上述のホルダ部材は、その外周に露出して凹凸が形成されている態様が好ましい。この場合、位置調整を行う際に作業者が凹凸部分を摘んでホルダ部材を回転させることができるので、その作業性が大きく高まる。
【発明の効果】
【００１８】
本発明の遊技機は、より高度で厳密な打球槌の位置調整が可能であり、また位置調整の作業性も格段に優れている。このため、遊技機の生産・組み立てに要する工数を低減するとともに、高品質な球発射性能を有した遊技機を提供することができる。
【発明を実施するための最良の形態】
【００１９】
図１は、一実施形態のパチンコ機１を示している。公知のように、パチンコ機１は木製の外枠２を外形のベースとして構成され、その内側に基枠（図示していない）や前面枠４、ガラス枠６等を備えている。基枠には遊技盤８が嵌め込まれており、この遊技盤８の盤面上に所定の遊技領域が形成されている。遊技領域には案内レールや多数の障害釘、風車、各種入賞口、各種役物、装飾ランプ、装飾体、図柄表示装置等（いずれも図示されていない）が配置されている。
【００２０】
その他にも、パチンコ機１の前面には上皿１０および下皿１２が設けられており、また前面枠４の右下隅の位置には発射ハンドル１４が設けられている。さらにパチンコ機１の背面には球タンクやタンクレール、裏セット、各種制御基板等（いずれも図示していない）が設けられている。
【００２１】
図２および図３は、球発射装置１６を具体的に示している。球発射装置１６はほぼ矩形をなすベース板１６ａを有し、このベース板１６ａが前面枠４（または基枠）の片側（この例では裏側）にねじ留めにより固定されている。ベース板１６ａにはそのほぼ中央となる位置にベアリング１６ｂが設けられており、このベアリング１６ｂに打球槌１６ｃが取り付けられている。打球槌１６ｃはコイルばね１６ｄによって遊技球の発射方向に付勢されており、この付勢力で打球槌１６ｃが強く揺動し、発射レール１８上に置かれた遊技球を打撃することができる（揺動機構）。
【００２２】
また、球発射装置１６は発射モータ１６ｅを有しており、この発射モータ１６ｅの動力により打球槌１６ｃはコイルばね１６ｄの付勢力に抗して引っ張られる。具体的には、発射モータ１６ｅの出力軸にはカム１６ｆが取り付けられており、このカム１６ｆの回転に伴い、打球槌１６ｃが発射レール１８（打球位置）から離れる方向に引っ張られた後、さらにカム１６ｆの回転により打球槌１６ｃが解放される。また、球発射装置１６には球送り機構１６ｊが設けられており、この球送り機構１６ｊは発射モータ１６ｅの回転に連動して遊技球を１個ずつ発射レール１８上の打球位置にセットすることができる。これら一連の動作により打球槌１６ｃが往復して揺動し、一定のサイクルで遊技球を連続的に打撃することができるものとなっている。
【００２３】
上述したコイルばね１６ｄの一端はスライド板１６ｇに係止されており、さらにスライド板１６ｇは発射ハンドル１４の回転軸（図示していない）に連結されている。遊技者が発射ハンドル１４をひねり操作（または回動操作）すると、これに連動してカム１６ｈが回転し、スライド板１６ｇを横方向にスライドさせることができる。このスライド量に応じてコイルばね１６ｄの初期張力が変化し、遊技球に与えられる打撃力の大きさを強弱に調整可能となっている。なお、上述した球送り機構１６ｊによる遊技球のセット動作や打球槌１６ｃによる遊技球の打撃動作、打撃力の調整等についてはいずれも公知のものを適用可能であるため、ここではその詳細な説明を省略する。
【００２４】
打球槌１６ｃはベアリング１６ｂとの連結点を揺動中心として両方向に延びており、その一端（この例では上端）にて遊技球を打撃可能となっている。コイルばね１６ｄの付勢力で打球槌１６ｃが発射方向に揺動されると、その揺動は上下一対の当てゴム２０，２２により制止され、これにより打球槌１６ｃの揺動ストロークの終端位置が規定されている。また上下一対の当てゴム２０，２２は揺動中心の両側でそれぞれ打球槌１６ｃに当接し、その衝撃を分担して受け止めている。
【００２５】
球発射装置１６において遊技球に充分かつ適切な打撃力を加えるためには、打球槌１６ｃの先端位置が遊技球に対して正確に合わせられている必要がある。前述したとおり、打球槌１６ｃの先端位置はその揺動ストロークの終端位置、つまり、当てゴム２０，２２が打球槌１６ｃに当接する位置で決まるため、本実施形態では当てゴム２０，２２が打球槌１６ｃに当接する位置を変えることで先端位置の調整を可能としている（調整手段）。
【００２６】
図４は、当てゴム２０，２２の構造や取り付け状態を詳細に示している。図４中、上側の当てゴム２０についてはその取り付け状態を示し、逆に下側の当てゴム２２についてはその分解状態を示している。
当てゴム２０，２２はいずれも環状（短管状）のゴム部材からなり、これら当てゴム２０，２２はそれぞれ外周面にて打球槌１６ｃに当接することができる。また、当てゴム２０，２２は一定の肉厚を有しており、これにより打球槌１６ｃの当接時にその衝撃を緩和するクッション性を有している。さらに当てゴム２０，２２は、いずれもリング状の外周円と中央の円孔（貫通孔）とが同心に形成された形状である。このため当てゴム２０，２２の肉厚は全周にわたって均一となっている。
【００２７】
上述のベース板１６ａには、当てゴム２０，２２の取り付け部位にそれぞれ支持軸２４が上下に対をなして形成されている。これら支持軸２４は中空の円柱形状をなし、いずれもベース板１６ａから横方向（この例ではパチンコ機１の裏面側）に向けて延びている。またベース板１６ａには、支持軸２４の基端の周囲に円形溝２４ａが形成されており、これら円形溝２４ａは支持軸２４の先端方向（同じくパチンコ機１の裏面側）からみてベース板１６ａ内に凹んでいる。
【００２８】
上下の支持軸２４にはそれぞれホルダ部材２６が外側から嵌め合わされており、これらホルダ部材２６は支持軸２４の外周にて回転自在となっている。ホルダ部材２６もまた短管状をなし、その長手方向でみて一端側（この例ではパチンコ機１の前面側）となる部位に偏心部２６ａが形成され、他端側（パチンコ機１の裏面側）となる部位に摘み部２６ｂが形成されている。
【００２９】
また、ホルダ部材２６の内側には長手方向に貫通して挿通孔２６ｃが形成されており、この挿通孔２６ｃ内には支持軸２４が挿通可能となっている。挿通孔２６ｃの中心Ｏ１は偏心部２６ａの外形中心Ｏ２に対して所定量Ｓ（例えば１ｍｍ程度）だけ偏心しており、それゆえ当てゴム２０，２２の内側に偏心部２６ａを嵌め込み、さらにホルダ部材２６を支持軸２４の外側に嵌め合わせると、支持軸２４の中心（同じくＯ１）に対して当てゴム２０，２２が偏心した状態となる。このように、本実施形態では偏心構造のホルダ部材２６にリング状の当てゴム２０，２２を嵌め込み、これらをベース板１６ａに取り付けることで当てゴム２０，２２を偏心させる構造を採用していることから、各当てゴム２０，２２単体で構成した場合のように当てゴム２０，２２自体をわざわざ偏心形状にする必要がない。それゆえ、外周円と中央の円孔（貫通孔）とが同心に形成された市販の規格品であるゴム部材を当てゴム２０，２２として使用することができる。
【００３０】
さらに、当てゴム２０，２２は偏心部２６ａの嵌め込みによってホルダ部材２６に対して固定された状態となるが、ホルダ部材２６は支持軸２４に対して回転自在であるため、当てゴム２０，２２は支持軸２４の周囲にて回転方向に変位可能である。このとき当てゴム２０，２２の回転中心（Ｏ１）は、その外形中心（Ｏ２）から所定量Ｓだけ偏心した状態にある。
【００３１】
当てゴム２０，２２にホルダ部材２６の偏心部２６ａを嵌め込み、さらにホルダ部材２６を支持軸２４に嵌め合わせると、当てゴム２０，２２の一端面（この例ではパチンコ機１の前面側となる端面）がベース板１６ａに当接する。このとき当てゴム２０，２２の他端面（パチンコ機１の背面側となる端面）は摘み部２６ｂに密着しているので、当てゴム２０，２２はちょうど摘み部２６ｂとベース板１６ａとの間に挟み込まれた状態となる。
【００３２】
さらに、支持軸２４の先端部にはキャップ部材２８が被せられており、このキャップ部材２８は支持軸２４に対してねじ留めされるものとなっている。すなわち、支持軸２４にはねじ込み穴２４ｂが形成されており、またキャップ部材２８にはねじ３０用の挿通孔２８ａが形成されている。したがって、キャップ部材２８を支持軸２４に被せた状態でその挿通孔２８ａにねじ３０を挿通し、これをねじ込み穴２４ｂにねじ込むことで、キャップ部材２８を支持軸２４に対してねじ留めすることができる。
【００３３】
キャップ部材２８は、支持軸２４に被せられた状態でホルダ部材２６の他端（摘み部２６ｂがある部位）に当接する。この状態でねじ３０を締め込むと、キャップ部材２８を介してホルダ部材２６が支持軸２４の長手方向に押される結果、当てゴム２０，２２がベース板１６ａに押し付けられる。これにより、当てゴム２０，２２の回転変位を規制するととともに、当てゴム２０，２２を固定することができる。
【００３４】
図５は、ホルダ部材２６の摘み部２６ｂの形状を詳細に示している。図５の断面から明らかなように、摘み部２６ｂの周囲は波形状に形成されており、その凹凸によってグリップ性が高められている。したがって、作業者がねじ３０をゆるめた状態で摘み部２６ｂを摘み、ホルダ部材２６を支持軸２４の回りに回転（回動）させることで、容易に当てゴム２０，２２を回転方向に変位させることができる。
【００３５】
図６および図７は、当てゴム２０，２２の回転変位による打球槌１６ｃの位置調整の様子を示している。上下の当てゴム２０，２２はいずれも支持軸２４の周囲にて回転変位することで、その偏心量Ｓに応じて打球槌１６ｃとの当接位置をその揺動方向にずらすことができる。具体的には、図６中（ｂ）に実線で示されている位置から矢印Ｒの範囲内で当てゴム２０を変位させると、２点鎖線で示されているように遊技球の打球位置から後退（離隔）する方向に打球槌１６ｃの先端位置が調整される。これに対し、矢印Ｆの範囲内で当てゴム２０を変位させると、逆に打球位置に対して前進（近接）する方向に打球槌１６ｃの先端位置が調整される（図示されていない）。
【００３６】
あるいは、図７中（ｂ）に実線で示されている位置から矢印Ｒの範囲内で当てゴム２２を変位させると、同じく２点鎖線で示されているように遊技球の打球位置から後退（離隔）する方向に打球槌１６ｃの先端位置が調整される。逆に矢印Ｆの範囲内で当てゴム２２を変位させると、打球位置に対して前進（近接）する方向に打球槌１６ｃの先端位置が調整されることとなる（図示されていない）。
【００３７】
なお、上下の当てゴム２０，２２による打球槌１６ｃの位置調整は、例えば下側の当てゴム２２を先に変位させてから上側の当てゴム２０を変位させる手順で行ってもよいし、これと逆の手順で行ってもよい。いずれにしても、発射レール１８上に置かれた遊技球との相対的な位置関係から、打球槌１６ｃの先端が最適な位置づけとなる（良好な打撃力が得られる）ように当てゴム２０，２２を変位させながら打球槌１６ｃの先端位置の調整が行われる。なお、これらの調整作業を容易にするため所定の調整治具を予め用意しておき、この調整治具に先端位置を合わせるようにしてもよい。
【００３８】
次に図８は、ねじ３０の締め付けにより当てゴム２０と打球槌１６ｃとの当接位置が微調整される様子を示している。先ず図８中（ａ）に示されるように、ねじ３０のねじ込みによってキャップ部材２８を締め付けるだけで、当てゴム２０をベース板１６ａに固定することができる。このとき当てゴム２０の長さＬ１は、その自由状態（圧縮されていない状態）での全長とほぼ同じである。
【００３９】
この状態から、さらにねじ３０を強くねじ込むと、図８中（ｂ）に示されるようにキャップ部材２８が支持軸２４に対してより深く被さり、これに伴いホルダ部材２６がベース板１６ａに対して強く押し付けられる。この押し付け力によって当てゴム２０が支持軸２４の方向に圧縮され、その全長Ｌ２は圧縮前の全長Ｌ１よりも短くなる（Ｌ１＞Ｌ２）。また当てゴム２０は、その圧縮力で支持軸２４の方向に弾性変形（＝δｘ）を生じるとともに、この圧縮力に直交する方向への弾性変形を生じて外側へ膨らむ。なお、このときホルダ部材２６は、その偏心部２６ａの先端が僅かに円形溝２４ａ内に嵌り込むことでベース板１６ａとの干渉を避けることができる（図８中（ｂ））。
【００４０】
したがって、このとき生じる当てゴム２０の弾性変形によって打球槌１６ｃの先端位置を微調整可能であり、特にこの方法では、ねじ３０の締め付け量を増加することで打球槌１６ｃの先端を打球位置から後退（離隔）させることができ、逆に締め付け量を減らすことで打球槌１６ｃの先端を打球位置に対して前進（近接）させることができる。また、このとき微調整が可能な幅（＝δｙ）は、当てゴム２０の最大変形量の範囲内で規定される。
【００４１】
なお、ここでは上側の当てゴム２０について説明しているが、下側の当てゴム２２についても同様に弾性変形を生じさせることで、打球槌１６ｃとの当接位置を微調整することができる。この場合も同様に、ねじ３０の締め付け量を増加することで打球槌１６ｃの先端を打球位置から後退（離隔）させることができ、逆に締め付け量を減らすことで打球槌１６ｃの先端を打球位置に対して前進（近接）させることができる。
【００４２】
上述した一実施形態のパチンコ機１では、その組み立て時に打球槌１６ｃの位置を遊技球に対して合わせる際、最初にねじ３０を緩めて上下の当てゴム２０，２２を回転方向に変位させ、調整治具等により適正な位置を確認した上でねじ３０を適度に締め付けて当てゴム２０，２２を固定する。これにより、上下の当てゴム２０，２２と打球槌１６ｃとの当接位置を迅速かつ大きく変化させながらその位置調整を容易に行うことができる。また、このとき作業者はホルダ部材２６の摘み部２６ｂを摘んで当てゴム２０，２２を回転させることができるので、その作業性がより良好なものとなる。
【００４３】
さらに、打球槌１６ｃの先端位置を微調整する場合は、ねじ３０をさらに締め付けながら当てゴム２０，２２を弾性変形によって外側に膨らませ、そして、適正な位置を確認した上でねじ３０の締め付けを止めればよい。
【００４４】
このように、一実施形態のパチンコ機１ではねじ３０を緩めるだけで当てゴム２０，２２と打球槌１６ｃとの当接位置を大幅に変化させることもできるし、さらに、ねじ３０を強く締め付けるだけでその当接位置を微妙に変化させることもできる。したがって、当てゴム２０，２２がいずれも単一の構造でありながら調整作業が容易であるし、その調整幅も大きく確保されており、位置調整の融通性・利便性が高い。
【００４５】
本発明は上述した一実施形態に制約されることなく、各種の変形を伴って実施が可能である。例えば、一実施形態ではホルダ部材２６を介して当てゴム２０，２２を偏心させているが、当てゴム２０，２２の内部に形成された貫通孔を偏心させる態様であってもよい。
【００４６】
また、一実施形態のように当てゴム２０，２２が上下に対をなして設けられている態様は衝撃緩和の面では好適であるが、特にこれに制約されることはない。したがって、上下いずれか一方だけに当てゴムが配置されていてもよいし、あるいは、いずれか一方の当てゴムだけを一実施形態の構造とし、他方の当てゴムは従来どおりの構造（スライド方向のみの調整や、押圧片による弾性変形のみの調整が可能な構造）としてもよい。
【００４７】
その他、一実施形態で挙げた球発射装置１６はあくまで例示であり、その構成部品の構造や形状、仕様等を適宜変更しても本発明を好適な形態で実施することができる。
【図面の簡単な説明】
【００４８】
【図１】一実施形態のパチンコ機の正面図である。
【図２】球発射装置の取り付けを詳細に示した背面図である。
【図３】球発射装置の正面図である。
【図４】図３中、ＩＶ−ＩＶ線に沿う断面図である。
【図５】図４中、Ｖ−Ｖ線に沿うホルダ部材の断面図である。
【図６】上側の当てゴムによる打球槌の位置調整を示した図である。
【図７】下側の当てゴムによる打球槌の位置調整を示した図である。
【図８】図４中、ＶIII−ＶIII線に沿う断面により当接位置の微調整を示した図である。
【符号の説明】
【００４９】
１    パチンコ機
１６    球発射装置
１６ｂ  ベアリング（揺動機構）
１６ｃ  打球槌
１６ｄ  コイルばね（揺動機構）
１８    発射レール
２０，２２    当てゴム（制止部材）
２４    支持軸
２６    ホルダ部材
２８    キャップ部材（締付部材）
３０    ねじ
【図１】
2005034476.tif 000003
【図２】
2005034476.tif 000004
【図３】
2005034476.tif 000005
【図４】
2005034476.tif 000006
【図５】
2005034476.tif 000007
【図６】
2005034476.tif 000008
【図７】
2005034476.tif 000009
【図８】
2005034476.tif 000010